(57)【特許請求の範囲】
【請求項１】
被検体を乗せるベッドと、撮像装置とを備え、
前記撮像装置は、
前記被検体にＸ線を照射するＸ線源と、
前記Ｘ線源を前記ベッドが挿入される孔部の周方向へ移動させるＸ線源移動装置と、
前記孔部の周囲に配置されて前記被検体からのγ線を実質的に検出せずＸ線を検出し、かつＸ線の検出信号である第１検出信号を出力する複数の放射線検出器Ａと、
前記孔部の周囲に配置されて前記被検体からのγ線及びＸ線を検出し、かつ前記第１検出信号、及びγ線の検出信号である第２検出信号の両方を出力する放射線検出器Ｂとを有し、
前記放射線検出器Ａから出力された前記第１検出信号を処理する第１信号処理装置と、
前記放射線検出器Ｂから出力された前記第１検出信号及び前記第２検出信号を入力し、
前記放射線検出器Ｂが前記Ｘ線源のＸ線入射領域以外の領域に位置する場合、及び前記放射線検出器Ｂが前記Ｘ線入射領域に位置し、前記Ｘ線源がＸ線を放出していない場合に前記第２検出信号を選択し、選択された前記第２検出信号を処理する第２信号処理装置とを有することを特徴とする放射線検査装置。
【請求項２】
前記第２信号処理装置は、
前記第２検出信号を選択する第２信号選択装置を含み、前記第２信号選択装置で選択された前記第２検出信号を処理する請求項１記載の放射線検査装置。
【請求項３】
前記Ｘ線源の位置を求め、Ｘ線入射領域内に位置する前記放射線検出器Ｂを選択する制御装置を有し、
前記制御装置は、
Ｘ線入射領域以外の領域に位置する前記放射線検出器Ｂに接続された前記第２信号選択装置が第２検出信号を選択するように、前記第２信号選択装置を制御する請求項２記載の放射線検査装置。
【請求項４】
前記Ｘ線源が前記放射線検出器Ａ及び前記放射線検出器Ｂよりも前記孔部の中心側を前記孔部の周方向に移動する請求項１ないし請求項３のいずれかに記載の放射線検査装置。
【請求項５】
前記放射線検出器Ａ及び前記放射線検出器Ｂを含み前記孔部を取囲む複数の環状放射線検出器配列が、前記孔部の軸方向に配置されている請求項１ないし請求項４のいずれかに記載の放射線検査装置。
【請求項６】
前記孔部を取囲んで配置された複数の放射線検出器を有する環状放射線検出器配列を、
複数列、前記孔部の軸方向に配置して環状放射線検出器群が形成され、
前記複数の環状放射線検出器配列のうち、一部の前記環状放射線検出器配列が前記放射線検出器として前記放射線検出器Ａのみを複数含んでおり、残りの前記環状放射線検出器配列が前記放射線検出器として前記放射線検出器Ｂのみ複数含んでいる請求項１ないし請求項４のいずれかに記載の放射線検査装置。
【請求項７】
前記Ｘ線源が前記放射線検出器Ａ及び前記放射線検出器Ｂよりも外側で前記孔部の周方向に移動する請求項１ないし請求項３のいずれかに記載の放射線検査装置。
【請求項８】
前記孔部を取囲んで配置された複数の放射線検出器を有する環状放射線検出器配列を、複数列、前記孔部の軸方向に配置して環状放射線検出器群が形成され、
前記Ｘ線源から放出されるＸ線を通す間隙が、前記環状放射線検出器群に形成され、
前記複数の環状放射線検出器配列のうち、一部の前記環状放射線検出器配列が前記放射線検出器として前記放射線検出器Ａのみを複数含みかつ前記間隙に隣接して配置され、残りの前記環状放射線検出器配列が前記放射線検出器として前記放射線検出器Ｂのみ複数含んでいる請求項７記載の放射線検査装置。
【請求項９】
前記孔部を取囲んで配置された複数の放射線検出器を有する環状放射線検出器配列を、複数列、前記孔部の軸方向に配置して環状放射線検出器群が形成され、
前記Ｘ線源から放出されるＸ線を通す間隙が、前記環状放射線検出器群に形成され、
前記放射線検出器として前記放射線検出器Ａのみを前記孔部の周方向に複数含む放射線検出器配列が前記Ｘ線源と同一の環状体上に前記Ｘ線源と対向して設置され、
前記放射線検出器Ａは前記Ｘ線源の移動とともに前記Ｘ線を通す間隙を周方向に移動し、残りの前記環状放射線検出器配列が前記放射線検出器として前記放射線検出器Ｂのみ複数含んでいる請求項７記載の放射線検査装置。
【請求項１０】
前記放射線検出器Ａを前記放射線検出器Ｂよりも前記孔部側に配置した請求項１ないし請求項３のいずれかに記載の放射線検査装置。
【請求項１１】
前記放射線検出器Ａと前記放射線検出器Ｂとは前記孔部の半径方向において直線状に配置される請求項１０記載の放射線検査装置。
【請求項１２】
前記放射線検出器は半導体放射線検出器である請求項１ないし請求項１１のいずれかに記載の放射線検査装置。
【請求項１３】
前記第１検出信号の処理によって前記第１信号処理装置から出力される第１情報に基づいて前記被検体の第１断層像のデータを作成し、前記第２検出信号の処理によって前記第２信号処理装置から出力される第２情報に基づいて前記被検体の第２断層像のデータを作成し、かつ前記第１断層像のデータと前記第２断層像のデータとを合成した合成断層像のデータを作成する断層像データ作成装置を備えた請求項１ないし請求項１２のいずれかに記載の放射線検査装置。
【請求項１４】
前記第１断層像がＸ線ＣＴ像であり、前記第２断層像がＰＥＴ像である請求項１３記載の放射線検査装置。
【請求項１５】
前記Ｘ線源からのＸ線の放出時間を制御するＸ線源制御装置を備えた請求項１ないし請求項１４に記載の放射線検査装置。
【発明の詳細な説明】
【０００１】
【発明の属する技術分野】
本発明は、放射線検査装置に係り、特に、Ｘ線ＣＴ，陽電子放出型ＣＴ（ポジトロン・エミッション・コンピューテッド・トモグラフィ（Positron Emission Computed Tomography）、以下、ＰＥＴという）及び単光子放出型ＣＴ(シングル・フォトン・エミッション・コンピューテッド・トモグラフィ(Single PhotonEmission Computed Tomography））、以下、ＳＰＥＣＴという）等に適用するのに好適な放射線検査装置に関する。
【０００２】
【従来の技術】
放射線を利用した検査技術は、被検体の内部を非破壊で検査することができる。特に人体を被検体とする放射線検査としては、Ｘ線ＣＴ，ＰＥＴ及びSPECT等がある。これらの技術はいずれも、人体から放出された放射線の積分値（飛翔方向）の物理量を計測し、その積分値を逆投影することにより人体内の各ボクセルの物理量を計算し画像化する。この画像化のためには膨大なデータを処理する必要がある。近年のコンピュータ技術の急速な発達は、人体の断層像を高速・高精細に提供できるようになった。
【０００３】
Ｘ線ＣＴは、Ｘ線源よりＸ線を被検診者に照射し、被検診者の体内を通過したＸ線強度を測定してＸ線の体内通過率から被検診者における断面の形態情報を画像化する、すなわち被検診者の断層像を得る。すなわち、被検診者の体内を通過したＸ線強度を被検診者に対してＸ線源の反対側に配置した放射線検出器により測定し、測定されたＸ線強度を用いてＸ線源と放射線検出器との間の線減弱係数を求める。Ｘ線源及び放射線検出器を、被検診者の周囲を旋回させて透過したＸ線を測定するため、体内における線減弱係数の分布が求まる。この線減弱係数をアイトリプルイー  トランザクション  オン  ニュークリア  サイエンス(IEEE Transaction on Nuclear Science) ＮＳ−２１巻の２１頁に記載されているフィルタードバックプロジェクション法(Filtered Back Projection Method) などを用いて各ボクセルの線減弱係数を求め、その値をＣＴ値に変換する。Ｘ線ＣＴによく用いられる線源は約８０ｋｅＶ前後である。
【０００４】
ＰＥＴは、陽電子放出核種（15Ｏ，13Ｎ，11Ｃ，18Ｆ等）、及び体内の特定の細胞に集まる性質を有する物質を含む放射性薬剤（以下、ＰＥＴ用薬剤）を被検診者に投与し、そのＰＥＴ用薬剤が体内のどの部位で多く消費されているかを調べる方法である。放射性薬剤の一例として、フルオロデオキシグルコース（2-［F-18］fluoro-2-deoxy-D-glucose、18ＦＤＧ）がある。18ＦＤＧ は、糖代謝により腫瘍組織に高集積するため、腫瘍部位の特定に使用される。特定の個所に集積したＰＥＴ用薬剤に含まれた陽電子放出核種から放出された陽電子が、付近の細胞の電子と結合して消滅し、５１１ｋｅＶのエネルギーを有する一対のγ線を放射する。これらのγ線は、互いにほぼ正反対の方向(１８０°±０.６°) に放射される。この一対のγ線を放射線検出器で検知すれば、どの２つの放射線検出器の間で陽電子が放出されたかがわかる。それらの多数のγ線対を検知することで、ＰＥＴ用薬剤を多く消費する場所がわかる。例えば、18ＦＤＧは前述のように糖代謝の激しい癌細胞に集まるため、ＰＥＴにより癌病巣を発見することが可能である。なお、得られたデータは、前述のフィルタードバックプロジェクション方法により各ボクセルの放射線発生密度に変換され、γ線の発生位置（放射線核種が集積する位置、すなわち癌細胞の位置）を画像化することに貢献する。ＰＥＴに用いられる15Ｏ，13Ｎ，11Ｃ，18Ｆは２分から１１０分の短半減期の放射性同位元素である。
【０００５】
ＰＥＴによる検査では、ＰＥＴ検査で得られたデータを、γ線源を用いて撮像したトランスミッション像のデータを用いて補正する。トランスミッション像とは、例えばセシウム（γ線源）を用いてγ線を照射し、被検診者の体内を透過したγ線の強度を測定して体内におけるγ線の減衰率を測定する方法である。得られたγ線減衰率を用いて体内でのγ線減衰率を見積もりＰＥＴで得られたデータを補正することにより、より高精度なＰＥＴ像を得ることが可能である。
【０００６】
ＳＰＥＣＴは、単光子放出核種を含む放射性薬剤（以下、ＳＰＥＣＴ用薬剤という）を被検診者に投与し、核種から放出されるγ線を放射線検出器で検出する。ＳＰＥＣＴによる検査時によく用いられる単光子放出核種から放出されるγ線のエネルギーは数１００ｋｅＶ前後である。ＳＰＥＣＴの場合、単一γ線が放出されるため、放射線検出器に入射した角度が得られない。そこで、コリメータを用いて特定の角度から入射するγ線のみを検出することにより角度情報を得ている。ＳＰＥＣＴは、特定の腫瘍や分子に集積する性質を有する物質、及び単光子放出核種(99Ｔｃ，67Ｇａ，201Ｔｌ等) を含むＳＰＥＣＴ用薬剤を被検診者に投与し、ＳＰＥＣＴ用薬剤より発生するγ線を検知してＳＰＥＣＴ用薬剤を多く消費する場所(例えば、癌細胞が存在する場所)を特定する検査方法である。SPECTの場合も、得られたデータはフィルタードバックプロジェクションなどの方法により各ボクセルのデータに変換する。なお、ＳＰＥＣＴでもトランスミッション像を撮影することがしばしばある。ＳＰＥＣＴに用いられる 99Ｔｃ，67Ｇａ，201Ｔｌ は、ＰＥＴに用いられる放射性同位元素の半減期よりも長く６時間から３日である。
【０００７】
上述のようにＰＥＴ及びＳＰＥＣＴは、体内代謝を利用して機能画像を得るために、放射性薬剤が集積した部位をコントラスト良く抽出できるが、周辺臓器との位置関係を把握できない問題がある。そこで、近年、Ｘ線ＣＴによって得られた断層像である形態画像と、ＰＥＴまたはＳＰＥＣＴによって得られた断層像である機能画像とを合成してより高度な診断を行う技術が注目されている。本技術の一例として、特開平７−２０２４５号公報記載の技術がある。
【０００８】
特開平７−２０２４５号公報記載の放射線検査装置は、Ｘ線ＣＴ検査装置とＰＥＴ検査装置とを直列に設置し、被検診者が横たわっているベッドを水平方向に移動させて両検査装置を用いて被検診者の検査を行う。この場合、２つの検査を行う時間間隔が短く、被検診者はベッドの上で殆ど動かないため２つの検査装置で得られた撮像データであるＰＥＴデータとＸ線ＣＴデータの対応関係が分かる。その対応関係の情報を用いて、ＰＥＴデータとＸ線ＣＴデータとを合成し、被検診者の病巣位置の特定を行っている。
【０００９】
特開平９−５４４１号公報は、ベッドを兼用して、Ｘ線ＣＴ検査装置とSPECT検査装置を直列に配置した放射線検査装置を記載している。各検査装置で得られた撮像データであるＸ線ＣＴデータとＳＰＥＣＴデータとを合成し、被検診者の病巣位置の特定を行っている。
【００１０】
【発明が解決しようとする課題】
上記の各公開公報に記載された放射線検査装置では、一見すると２つの撮像データの位置関係が明確であるように思えるが、被検体である被検診者が両検査装置の間で動く可能性がある。最近のＰＥＴ検査装置の分解能は約５mmであり、Ｘ線ＣＴ検査装置の分解能はそれよりも約１桁小さく約０.５mm である。そのため、両検査装置の間で被検診者が動いたり、被検診者の角度が変われば両検査装置で得られた各撮像データの対応関係が不明瞭になる。その結果、例えば、各々の撮像データを画像再構成した後、共通して各像に存在する特徴領域を抽出し、その特徴領域の位置関係から、各画像の位置関係を求め、位置合わせを行う必要が生じる。また、これらの放射線検査装置は、放射線検出器等をそれぞれ有する２つの撮像装置を備えているため装置構成が複雑である。
【００１１】
本発明の目的は、装置構成が単純化された放射線検査装置を提供することにある。
【００１２】
【課題を解決するための手段】
上記の目的を達成する本発明の特徴は、撮像装置が、ベッドが挿入される孔部の周囲に配置されて被検体からのγ線を実質的に検出せずＸ線を検出し、かつＸ線の検出信号である第１検出信号を出力する複数の放射線検出器Ａと、孔部の周囲に配置されて被検体からのγ線及びＸ線を検出し、かつ第１検出信号、及びγ線の検出信号である第２検出信号の両方を出力する放射線検出器Ｂとを有し、放射線検出器Ａから出力された第１検出信号を処理する第１信号処理装置と、放射線検出器Ｂから出力された第１検出信号及び第２検出信号を入力し、放射線検出器ＢがＸ線源のＸ線入射領域以外の領域に位置する場合、及び放射線検出器ＢがＸ線入射領域に位置し、Ｘ線源がＸ線を放出していない場合に第２検出信号を選択し、選択された第２検出信号を処理する第２信号処理装置とを有することにある。
【００１３】
１つの撮像装置に形成されかつ被検体が挿入される共有する孔部の周囲に、第１放射線検出器及び第２放射線検出器を配置するため、Ｘ線及びγ線を用いた被検体の放射線検査を行える放射線検査装置を単純化できる。
【００１５】
【発明の実施の形態】
（実施例１）
本発明の好適な一実施例である放射線検査装置を、図１及び図２に基づいて説明する。本実施例の放射線検査装置１は、撮像装置２，被検診者保持装置１４，信号処理装置１９及び断層像作成装置２９を備えている。被検診者保持装置１４は、支持部材１５、および支持部材１５の上端部に位置して長手方向に移動可能に支持部材１５に設置されたベッド１６を有する。
【００１６】
撮像装置２は、ベッド１６の長手方向に対して直角の方向に設置されており、放射線検出器４Ａ，４Ｂ，Ｘ線源周方向移動装置７，駆動装置制御装置１７及びＸ線源制御装置１８を有する。支持部材６は、撮像装置２のケーシング（図示せず）内に設置される。放射線検出器４Ａ，４Ｂは、支持部材６によって支持されて上記ケーシング内に配置された環状保持部５に設置される。これらの放射線検出器は、上記ケーシングに形成された孔部３３の周囲を取囲むように環状に配置される。それらの放射線検出器（合計約１００００個）は、孔部３３の軸方向にも複数列設置される。すなわち、それぞれ複数存在する放射線検出器４Ａ及び
４Ｂは、孔部３３の周囲を取囲んで孔部３３の軸方向に伸びる環状放射線検出器群を構成する。放射線検出器４Ａ及び４Ｂは、半導体放射線検出器である。放射線検出器４Ａは、一辺が５mmの正方形で厚みが１mmのガリウムヒ素（ＧａＡｓ）で構成された検出部を有する。放射線検出器４Ｂは、５mm立方体のカドミウムテルル(ＣｄＴｅ)で構成された検出部を有する。放射線検出器４Ｂの検出部は５mm立方体のＧａＡｓまたは５mm立方体のカドミウムテルル亜鉛（ＣＺＴ）で構成してもよい。放射線検出器４Ａ，４Ｂは、図３に模式的に示すように、孔部３３の周方向及び軸方向に交互に配置されている。このため、孔部３３の軸方向に配置される環状の各放射線検出器列は、放射線検出器４Ａ，４Ｂを含んでいる。駆動装置制御装置１７及びＸ線源制御装置１８は、上記のケーシング内で環状保持部５の外面に設置される。また、被検診者保持装置１４を撮像装置２の上記ケーシング（図示せず）に連結してもよい。
【００１７】
放射線検出器４Ａは、検出部が質量数の小さいＧａＡｓで構成されかつ厚みが１mmと薄いため、８０ｋｅＶのＸ線と比較して５１１ｋｅＶのγ線の検出感度が低い。換言すれば、Ｘ線と比較して高エネルギーのγ線が放射線検出器４Ａに入射しても、γ線は放射線検出器４Ａで検出されず放射線検出器４Ａの検出部を無反応的に通過する。従って、放射線検出器４ＡはＸ線を選択的に検出する。γ線は放射線検出器４Ｂで検出される。ＧａＡｓで構成された検出部でも、厚みが５mmになるとγ線の検出が可能になる。
【００１８】
Ｘ線源周方向移動装置７は、Ｘ線源装置８、及び環状のＸ線源装置保持部１３を備える。Ｘ線源装置保持部１３は、環状保持部５の一端部で環状保持部５の外面に取付けられる。環状のガイドレール１２が、Ｘ線源装置保持部１３の一端面に設置される。ガイドレール１２及びＸ線源装置保持部１３は孔部３３の周囲を取囲む。Ｘ線源装置８は、Ｘ線源９，Ｘ線源駆動装置１０及び軸方向移動アーム１１を有する。Ｘ線源駆動装置１０は、駆動装置ケーシング内に、図示されていないが、第１モーター、及び減速機構を有する動力伝達機構を備える。動力伝達機構は第１モーターの回転軸に連結される。軸方向移動アーム１１は駆動装置ケーシングに取付けられて孔部３３内に延びている。Ｘ線源９は軸方向移動アーム１１に取付けられる。軸方向移動アーム１１は、孔部３３の軸方向に伸縮し、Ｘ線源９を孔部３３の軸方向に移動させる。軸方向移動アーム１１は、Ｘ線源駆動装置１０に設置された第２モーター（図示せず）の作動により伸縮される。Ｘ線源駆動装置１０は、落下しないようにかつガイドレール１２に沿って移動可能にガイドレール１２に取付けられる。Ｘ線源駆動装置１０は、図示していないが、前述の動力伝達機構から回転力を受けるピニオンを有する。このピニオンはガイドレール１２に設けられたラックと噛合う。
【００１９】
Ｘ線源９は図示されていないが公知のＸ線管を有する。このＸ線管は、陽極，陰極，陰極の電流源、及び陽極と陰極との間に電圧を印加する電圧源を備えている。陰極はタングステン製のフィラメントである。電流源から陰極に電流を流すことによってフィラメントから電子が放出される。この電子は、電圧源から陰極と陽極との間に印加される電圧（８０ｋＶ）によって加速され、ターゲットである陽極（Ｗ，Ｍｏ等）に衝突する。電子の陽極への衝突により最大８０ｋｅＶのＸ線が発生する。このＸ線がＸ線源９から放出される。
【００２０】
信号処理装置１９は、Ｘ線信号処理装置２０，信号弁別装置２１及び同時計数装置２８を備えている。Ｘ線信号処理装置２０は、放射線検出器４Ａ毎にそれぞれ設けられ、配線２７Ａによって該当する放射線検出器４Ａに接続される。信号弁別装置２１は、放射線検出器４Ｂ毎にそれぞれ設けられ、配線２７Ｂによって該当する放射線検出器４Ｂに接続される。信号弁別装置２１は、図４に示すように、切替スイッチ２２及びγ線弁別装置２６を有する。切替スイッチ２２は、可動端子２３、及び固定端子２４及び２５を有する。配線２７Ｂは可動端子２３に接続され、γ線弁別装置２６は固定端子２４に接続される。固定端子２５は切替によって可動端子２３と接触するのみである。各信号弁別装置２１のγ線弁別装置２６は、１つの同時計数装置２８に接続される。同時計数装置２８は、幾つかのγ線弁別装置２６毎に設けてもよい。断層像作成装置２９は、コンピュータ３０，記憶装置３１及び表示装置３２を有する。コンピュータ３０は、各Ｘ線信号処理装置２０、及び同時計数装置２８に接続される。記憶装置３１及び表示装置３２はコンピュータ３０に接続される。
【００２１】
本実施例は、Ｘ線ＣＴ検査（Ｘ線源９から放射されて被検診者の体内を透過したＸ線を放射線検出器で検出する行為）及びＰＥＴ検査（ＰＥＴ用薬剤に起因して被検診者の体内から放射されるγ線を放射線検出器で検出する行為）を一台の撮像装置２を用いて行う例である。
【００２２】
放射線検査を行う前に、まず、被検体である被検診者３４に、予め注射などの方法によりＰＥＴ用薬剤が、体内投与放射能が３７０ＭＢｑになるように、被検診者３４に投与される。ＰＥＴ用薬剤は、検査目的（癌の場所を把握、または心臓の動脈流の検査等）に応じて選ばれる。被検診者３４は、ＰＥＴ用薬剤が撮像可能な状態に体内に拡散して患部に集まるまでの所定時間の間、待機する。その所定時間の経過によってＰＥＴ用薬剤は、被検診者３４の患部(例えば癌の患部)に集まる。その所定時間が経過した後、被検診者３４を被検診者保持装置１４のベッド１６上に寝かせる。本実施例におけるＸ線ＣＴ検査及びＰＥＴ検査は、ＰＥＴ用薬剤が投与された被検診者３４が横たわっているベッド１６を移動させて被検診者３４を孔部３３内に挿入された状態で撮像装置２を用いて行われる。
【００２３】
Ｘ線源制御装置１８はＸ線源９からのＸ線の放出時間を制御する。すなわち、Ｘ線源制御装置１８は、Ｘ線ＣＴ検査中において、Ｘ線発生信号を出力してＸ線源９におけるＸ線管の陽極（または陰極）と電源との間に設けられた開閉器（以下、Ｘ線源開閉器という、図示せず）を閉じ、第１設定時間経過した時にＸ線停止信号を出力してＸ線源開閉器を開き、そして第２設定時間経過した時にＸ線源開閉器を閉じる、という制御を繰り返す。陽極と陰極との間には、第１設定時間の間で電圧が印加され、第２設定時間の間で電圧が印加されない。この制御によって、Ｘ線管からＸ線がパルス状に放出される。第１設定時間である照射時間Ｔは例えば１μsec に設定される。この１μsec は、放射線検出器４Ｂにおいてγ線を検出しない時間（実施例２で述べるＸ線を検出する放射線検出器４でのγ線の検出確率を無視できる時間）に相当する。第２設定時間は、Ｘ線源９が１つの放射線検出器とこれに周方向において隣接する他の放射線検出器の間を移動する時間Ｔ０であり、ガイドレール１２の周方向におけるＸ線源９の移動速度で定まる。第１及び第２設定時間はＸ線源制御装置に記憶されている。
【００２４】
駆動装置制御装置１７は、Ｘ線ＣＴ検査を開始するとき、駆動開始信号を出力して、Ｘ線源駆動装置１０の第１モーターに接続された、電源とつながる開閉器（以下、第１モーター開閉器という）を閉じる。電流の供給により第１モーターが回転し、その回転力が動力伝達機構を介してピニオンに伝えられる。ガイドレール１２のラックと噛合っているピニオンが回転するため、Ｘ線源装置８、すなわちＸ線源９がガイドレール１２に沿って周方向に移動する。Ｘ線源９は、孔部３３内に挿入された状態で被検診者３４の周囲を設定速度で移動する。Ｘ線ＣＴ検査終了時には、駆動装置制御装置１７は駆動停止信号を出力して第１モーター開閉器を開く。これによって、Ｘ線源９の周方向への移動が停止される。本実施例では、全ての放射線検出器４Ａ，４Ｂは、孔部３３の周方向に移動しなく、かつ孔部３３の軸方向にも移動しない。移動しないＸ線源制御装置１８及び駆動装置制御装置１７から移動するＸ線源装置１０への制御信号の伝送はＸ線源装置１０の移動に支障にならない公知の技術を適用する。
【００２５】
Ｘ線ＣＴ検査を開始する際に駆動装置制御装置１７から出力された駆動開始信号はＸ線源制御装置１８に入力される。Ｘ線源制御装置１８は、駆動開始信号の入力に基づいてＸ線発生信号を出力する。その後、Ｘ線停止信号及びＸ線発生信号を繰返して出力する。Ｘ線停止信号及びＸ線発生信号の繰返し出力によって、Ｘ線源９は、第１設定時間、すなわち１μsec の間にＸ線を放出し、第２設定時間の間にＸ線の放出を停止する。このＸ線の放出及び停止がＸ線源９の周方向への移動期間中に繰返されることになる。Ｘ線源９から放出されたそのＸ線は、ファンビーム状に、孔部３３内に挿入された被検診者３４に照射される。Ｘ線源９の周方向の移動によって、ベッド１６上の被検診者３４は周囲よりＸ線を照射される。このＸ線は、ガイドレール１２の周方向である幅を有しているため、被検診者３４を透過した後、孔部３３の軸心を基点にＸ線源９から１８０度の位置にある放射線検出器を中心に周方向に位置する複数個の放射線検出器４Ａ及び４Ｂによって検出される。これらの放射線検出器４Ａ，４Ｂは、そのＸ線の検出信号(以下、Ｘ線撮像信号という)を出力する。このとき、放射線検出器４Ｂはγ線を検出していない。放射線検出器４ＡからのＸ線撮像信号は、該当する配線２７Ａを経て対応するＸ線信号処理装置２０に入力される。放射線検出器４ＢからのＸ線撮像信号は、該当する配線２７Ｂを経て対応する信号弁別装置２１に入力される。Ｘ線源９からＸ線が放出されているとき、そのＸ線を入射する領域（Ｘ線入射領域）に位置するそれらの放射線検出器４Ａ，４Ｂは、便宜的に第１放射線検出器と称する。そのＸ線入射領域以外に位置する放射線検出器４Ａ，４Ｂは、便宜的に第２放射線検出器と称する。環状保持部５に設置されたそれぞれの放射線検出器４Ａ，４Ｂは、Ｘ線源９の位置との関係で、あるときは第１放射線検出器となり、別のあるときには第２放射線検出器となる。
【００２６】
孔部３３内に挿入された、ベッド１６上の被検診者３４から、ＰＥＴ用薬剤に起因した５１１ｋｅＶのγ線が放出されている。第２放射線検出器に含まれる放射線検出器４Ｂは、Ｘ線を検出せず被検診者３４から放出されたそのγ線を検出し、このγ線の検出信号（以下、γ線撮像信号という）を出力する。このγ線撮像信号は、該当する配線２７Ｂを経て対応する信号弁別装置２１に入力される。第２放射線検出器に含まれる放射線検出器４Ａは、ＰＥＴ用薬剤に起因したγ線を検出しない。
【００２７】
第１放射線検出器のうち放射線検出器４ＡからのＸ線撮像信号を入力したＸ線信号処理装置２０は、そのＸ線撮像信号を微分回路によって、Ｘ線撮像信号の電流値、すなわちＸ線撮像信号の強度の情報を出力する。Ｘ線ＣＴ検査は、軸方向移動アーム１１を延ばして（または縮めて）被検診者３４の体軸方向において行われる。必要に応じてベッド１６を孔部３３の軸方向に動かしてもよい。
【００２８】
放射線検出器４Ｂから出力された信号の信号弁別装置２１における処理について説明する。切替スイッチ２２は、固定端子２４及び２５のいずれかと可動端子２３を接続する切替え操作を行う。このような可動端子２４の切替操作は、駆動装置制御装置１７の出力である切替制御信号に基づいて行われる。駆動装置制御装置１７は、第１放射線検出器に含まれる放射線検出器４Ｂを選択し、選択された放射線検出器４Ｂに接続される信号弁別装置２１における切替スイッチ２２の可動端子２３を固定端子２５に接続する。可動端子２３と固定端子２５とを接続する時間は、Ｘ線源９からＸ線が放出される第１設定時間(本実施例では１μsec）の間である。このため、放射線検出器４ＢからのＸ線撮像信号はその信号弁別装置２１のγ線弁別装置２６に入力されない。また、その放射線検出器４Ｂが第２放射線検出器になったとき、駆動装置制御装置１７はその可動端子２３を固定端子２４に接続する。このため、放射線検出器４Ｂからのγ線撮像信号はそのγ線弁別装置２６に入力される。
【００２９】
第１放射線検出器の選択について簡単に説明する。Ｘ線源駆動装置１０内の第１モーターにはエンコーダー（図示せず）が連結される。駆動装置制御装置１７は、エンコーダーの検出信号を入力して周方向におけるＸ線源駆動装置１０、すなわちＸ線源９の位置を求め、このＸ線源９の位置と１８０°反対側の位置を中心としてＸ線入射領域内に位置する放射線検出器４Ａ，４Ｂを、複数個、記憶している各放射線検出器の位置のデータを用いて選択する。第１放射線検出器もＸ線源９の移動に伴って擬似的に周方向に移動しているように見える。駆動装置制御装置１７は、新たに第１放射線検出器となる放射線検出器４Ｂに接続された可動端子２３を固定端子２５に接続し、第１放射線検出器でなくなった放射線検出器４Ｂに接続された可動端子２３を固定端子２４に接続する。
【００３０】
γ線弁別装置２６は、放射線検出器４Ｂが第１放射線検出器であるときにはその放射線検出器４Ｂの出力信号を入力しなく、その放射線検出器４Ｂが第２放射線検出器になったときにはその放射線検出器４Ｂからのγ線撮像信号を入力する。このγ線撮像信号の処理について説明する。γ線撮像信号は、γ線弁別装置２６の波形整形部（図示せず）において時間的なガウス分布の波形を有するγ線撮像信号に変換される。γ線弁別装置２６のフィルタ部(図示せず)は、そのように波形変換されたγ線撮像信号のうち、エネルギー設定値(例えば、４５０keＶ)以上のエネルギーを有するγ線撮像信号を通過させ、そのエネルギー設定値未満のエネルギーを有するγ線撮像信号の通過を阻止する。γ線弁別装置２６は、フィルタ部を通過したγ線撮像信号、すなわちエネルギー設定値以上のエネルギーを有するγ線撮像信号に対して所定のエネルギーを有するパルス信号を発生させる。γ線弁別装置２６は、所定エネルギーのγ線撮像信号に対してパルス信号を発生させる装置である。
【００３１】
信号弁別装置２１は、γ線撮像信号を選択的に処理するγ線撮像信号処理装置である。γ線撮像信号処理装置は、駆動装置制御装置１７によって制御されてγ線撮像信号を選択するγ線撮像信号選択装置である切替スイッチ２２、及びγ線撮像信号選択装置で選択されたγ線撮像信号を処理してパルス信号を出力するパルス信号発生装置であるγ線弁別装置２６を備える。
【００３２】
同時計数装置２８は、各信号弁別装置２１のγ線弁別装置２６からのパルス信号を入力しこれらのパルス信号を用いて同時計数を行い、γ線撮像信号に対する計数値を求める。更に、同時計数装置２８は、前述の一対のγ線に対する一対のパルス信号によりその一対のγ線を検出した２つの検出点（ほぼ１８０°（厳密には１８０°±０.６°)方向が異なっている一対の放射線検出器の位置）の位置を求める。本実施例では、放射線検出器４Ｂは、孔部３３の軸心を中心にして１８０°反対側にそれぞれ配置される。
【００３３】
コンピュータ３０は、図５に示すステップ３５〜４２の処理手順に基づいて処理を実行する。同時計数装置２８から出力された、γ線撮像信号の計数値及び検出点の位置情報、及び各Ｘ線信号処理装置２０から出力されたＸ線撮像信号の強度が入力される（ステップ３５）。入力された、γ線撮像信号の計数値，検出点の位置情報、及びＸ線撮像信号の強度は、記憶装置３１に記憶される（ステップ３６）。記憶装置３１に記憶されているＸ線撮像信号の強度を用いて、被検診者３４の体内の各ボクセルにおけるＸ線の減衰率を算出する（ステップ３７）。この減衰率は記憶装置３１に記憶される。
【００３４】
被検診者３４の横断面の断層像を、該当する位置でのＸ線撮像信号の減衰率を用いて再構成する（ステップ３８）。Ｘ線撮像信号の減衰率を用いて再構成され被検診者３４の内臓及び骨の画像を含む断層像をＸ線ＣＴ像と称する。Ｘ線ＣＴ像を再構成するために、記憶装置３１から読み出されたＸ線撮像信号の減衰率を用いて、Ｘ線源９とＸ線を検出した放射線検出器４Ａの半導体検出部との間における被検診者３４の体内での線減弱係数を求める。この線減弱係数を用いて、フィルタードバックプロジェクション法により各ボクセルの線減弱係数を求める。各ボクセルの線減弱係数の値を用いて各ボクセルにおけるＣＴ値を得る。これらのＣＴ値を用いてＸ線ＣＴ像のデータが得られる。このＸ線ＣＴ像のデータは、記憶装置３１に記憶される。
【００３５】
患部で発生したγ線は体内を透過する間に吸収・減衰されるため、これらの効果を前述の減衰率のデータより見積ってγ線撮像信号の計数値に補正をかけることにより、更に高精度なγ線撮像信号の計数値を得ることも可能である。ステップ３９では、γ線撮像信号の計数値を補正する。γ線撮像信号の計数値に関する補正方法の一例を以下に述べる。まず、Ｘ線撮像信号の減衰率を用いて被検診者３４の断層像を再構成し、体内の各位置でのＣＴ値を求める。得られたＣＴ値から、各位置における物質組成を見積もる。そして物質組成データから５１１keＶにおける各位置での線減弱係数を見積もる。得られた各ボクセルの線減弱係数データを用いて一対のγ線を検出した一対の半導体素子部間の線減弱係数をフォワードプロジェクション法により求める。求められたその線減弱係数の逆数をγ線撮像信号の計数値に掛け合わせることにより体内減衰によるデータ差の補正がなされる。
【００３６】
患部（例えば癌の患部）を含む、被検診者３４の横断面の断層像を、該当する位置でのγ線撮像信号の補正後の計数値を用いて再構成する（ステップ４０）。γ線撮像信号の計数値を用いて再構成した断層像をＰＥＴ像と称する。この処理を詳細に説明する。記憶装置３１から読み出されたγ線撮像信号の計数値を用いて、陽電子の消滅によって発生したγ線を検出した一対の放射線検出器４Ｂ（検出点の位置情報より特定）の各半導体検出部間における体内でのγ線対発生数（複数の陽電子の消滅に応じて発生したγ線対の数）を求める。このγ線対発生数を用いて、フィルタードバックプロジェクション法により各ボクセルにおけるγ線対発生密度を求める。これらのγ線対発生密度に基づいてＰＥＴ像のデータを得ることができる。このＰＥＴ像のデータは、記憶装置３１に記憶される。
【００３７】
ＰＥＴ像のデータとＸ線ＣＴ像のデータとを合成して、両データを含む合成断層像のデータを求め、記憶装置３１に記憶させる（ステップ４１）。ＰＥＴ像のデータとＸ線ＣＴ像のデータとの合成は、両方の像データにおける、孔部３３の中心軸の位置を合わせることによって、簡単にかつ精度良く行うことができる。すなわち、ＰＥＴ像のデータ及びＸ線ＣＴ像のデータは、１つの撮像装置２内の環状の放射線検出器列に含まれる放射線検出器４Ａ，４Ｂから出力された撮像信号に基づいて作成されるので、前述のように位置合せを精度良く行える。合成断層像のデータは、記憶装置３１から呼び出されて表示装置３２に出力され（ステップ４２）、表示装置３２に表示される。表示装置３２に表示された合成断層像はＸ線ＣＴ像を含んでいるので、ＰＥＴ像における患部の、被検診者３４の体内での位置を容易に確認することができる。すなわち、Ｘ線ＣＴ像は内臓及び骨の像を含んでいるので、医者は、患部（例えば、癌の患部）が存在する位置を、その内臓及び骨との関係で特定することができる。
【００３８】
なお、Ｘ線ＣＴ像は複数のスキャンデータが必要であり一つの二次元断面データを得るために、Ｘ線源駆動装置１０を用いてＸ線源９をガイドレール１２に沿って移動させて、放射線検出器４により必要なデータ量を得ている。このようなＸ線源９の周方向スキャンによって、本実施例は被検診者３４の１つの横断面におけるＸ線撮像信号に関する二次元断面データを得ている。他の横断面におけるＸ線撮像信号に関する二次元断面データは、軸方向移動アーム１１を伸縮させてＸ線源９を孔部３３の軸方向に移動させることによって得ることができる。これらの二次元断面データを積み重ねることによって、三次元の断面データを得ることができる。この三次元の断面データを用いて三次元のＸ線ＣＴ像のデータを得ることができる。また、Ｘ線源９の周回に伴い孔部３３の軸方向に軸方向移動アーム１１を連続的に伸縮することにより、Ｘ線のヘリカルスキャンを行うことも可能である。軸方向移動アーム１１を伸縮させる替りに、ベッド１６を孔部３３の軸方向に移動させても他の横断面におけるＸ線撮像信号に関する２次元断面データを得ることができる。
【００３９】
本実施例によれば、以下に示す効果を得ることができる。
【００４０】
（１）本実施例では、環状に配置された放射線検出器４Ｂによって、被検体である被検診者３４から放出される複数のγ線の対を検出できると共に、環状に配置された放射線検出器４Ａによって、周方向に移動するＸ線源９から放出されて被検診者３４を透過したＸ線も検出できる。このため、従来技術は撮像装置として透過Ｘ線を検出する撮像装置及びγ線を検出する他の撮像装置を必要としていたが、本実施例は、放射線検出器４Ａ，４Ｂを備えた撮像装置が一台あればよく、Ｘ線ＣＴ検査及びＰＥＴ検査の両方を実施できる放射線検査装置の構成が単純化できる。ちなみに、本実施例の孔部３３の軸方向における放射線検出器配列の長さは、従来のＰＥＴ用の撮像装置のその長さと同じである。
【００４１】
（２）本実施例は、環状の放射線検出器配列にγ線を検出しない放射線検出器４Ａを含んでいるため、その放射線検出器４Ａに接続されるＸ線撮像信号の処理装置の構成を単純化できる。このような構成も、放射線検査装置の構成の更なる単純化、及び放射線検査装置の小型化に貢献する。
【００４２】
（３）本実施例は、環状の放射線検出器配列に含まれる放射線検出器４Ａの出力信号であるＸ線撮像信号を用いて、被検診者３４の、内臓及び骨の画像を含む第１の断層像（Ｘ線ＣＴ像）を再構成でき、更に、その放射線検出器配列に含まれる放射線検出器４Ｂの出力信号であるγ線撮像信号を用いて、その被検診者３４の、患部の画像を含む第２の断層像(ＰＥＴ像)を再構成できる。第１断層像のデータ及び第２断層像のデータは軸心を共有する孔部３３の周囲に配置された放射線検出器４Ａ，４Ｂの出力信号に基づいて再構成されているので、第１断層像のデータ及び第２断層像のデータを精度良く位置合せして合成することができる。このため、精度のよい、患部，内臓及び骨の画像を含む断層像(合成断層像)を簡単に得ることができる。この合成断層像によれば、内臓及び骨との関係で、患部の位置を正確に知ることができる。例えば、第１断層像のデータ及び第２断層像のデータを、各々の断層像データで共有する孔部３３の軸心を中心に合わせることによって、簡単に両断層像を合成した画像データを得ることができる。
【００４３】
（４）本実施例は、第１の断層像を作成するために必要な撮像信号、及び第２の断層像を作成するために必要な撮像信号を１つの孔部３３の周囲に配置された放射線検出器４Ａ，４Ｂから得ることができるため、被検診者３４の検査に要する時間（検査時間）を著しく短縮できる。換言すれば、短い検査時間で、第１の断層像を作成するために必要な撮像信号、及び第２の断層像を作成するために必要な撮像信号を得ることができる。本実施例は、従来技術のように、被検診者を、透過Ｘ線を検出する撮像装置からγ線を検出する他の撮像装置まで移動させる必要がなく、被検診者が動く確率を低減できる。被検診者を、透過Ｘ線を検出する撮像装置からγ線を検出する他の撮像装置まで移動させる必要がなくなることも、被検診者３４の検査時間の短縮に寄与する。
【００４４】
（５）本実施例は、Ｘ線源９を周回させて、放射線検出器４Ａ，４Ｂを孔部３３の周方向及び軸方向に移動させないため、放射線検出器４Ａ，４Ｂを設置した環状保持部５を移動させるに必要なモーターに比べてＸ線源９を周回させるモーターの容量を小さくできる。後者のモーターの駆動に要する消費電力も、前者のモーターのそれよりも少なくできる。
【００４５】
（６）本実施例は、放射線検出器４Ａ，４Ｂとして半導体放射線検出器を用いているため、撮像装置２が著しくコンパクト化される。
【００４６】
（７）本実施例は、Ｘ線信号処理装置に入力される信号にγ線撮像信号が含まれず、またγ線弁別装置に入力される信号にＸ線撮像信号が含まれないため、精度のよいＸ線ＣＴ像のデータ及びＰＥＴ像のデータを得ることができる。このため、これらを合成した断層像データを用いることにより、患部の位置をより正確に知ることができる。
【００４７】
（８）本実施例は、環状に配置された放射線検出器４Ａ，４Ｂの内側でＸ線源９が周回するため、環状保持部５の直径が大きくなり、環状保持部５の内側で周方向に設置できるそれぞれの放射線検出器の個数を多くすることができる。周方向における放射線検出器の個数の増加は、感度の向上をもたらし、被検診者３４の横断面の分解能を向上させる。
【００４８】
（９）本実施例では、Ｘ線源９が取付けられる軸方向移動アーム１１及びＸ線源９は放射線検出器４Ａ，４Ｂの内側に位置しているため、それらが被検診者３４から放出されるγ線を遮って、それらの真後ろに位置する放射線検出器がそのγ線を検出できなく、ＰＥＴ像の作成に必要な検出データが欠損する可能性がある。しかし、本実施例は、前述のように、Ｘ線源駆動装置１０によってＸ線源９及び軸方向移動アーム１１が周方向に周回しているので、実質的にはデータの欠損は問題とならない。特に、Ｘ線源９及び軸方向移動アーム１１の周回速度は約１秒／１スライスであり、最短で数分オーダーのＰＥＴ検査に要する時間と比較すると十分短い。これによっても、実質的にはそのデータの欠損は問題にならない。また、Ｘ線ＣＴ検査を行わない時は、Ｘ線ＣＴ検査関係の機器は放射線検出器４内から撤去し格納する構成とする。例えば、本実施例において、Ｘ線源９はＸ線源駆動装置１０の中に格納する構成としている。
【００４９】
更に、Ｘ線ＣＴ像の作成のために必要なＸ線撮像信号を得るために要する検査時間は、ＰＥＴ像の作成のために必要なγ撮像信号を得るために要する検査時間よりも短い。このため、そのγ線撮像信号得るための検査時間の間、常にＸ線源３からＸ線を被検診者に照射してＸ線撮像信号を得ることによって、被検診者が検査中に動いた場合でもＸ線撮像信号に基づいて得られるＸ線ＣＴ像の連続像から、被検診者の揺動に伴うＰＥＴ像のデータのずれを補正することもできる。
【００５０】
本実施例では、孔部３３の軸方向に位置する全放射線検出器配列が放射線検出器４Ａ，４Ｂを含む構成となっているが、それらの放射線検出器配列の一部が放射線検出器４Ａ，４Ｂを含み、残りの放射線検出器配列が放射線検出器４Ａを含まず放射線検出器４Ｂを含む構成にしてもよい。
【００５１】
（実施例２）
本発明の他の実施例である放射線検査装置を説明する。本実施例の放射線検査装置は、実施例１において放射線検出器４Ａを５mm立方体のカドミウムテルル（ＣｄＴｅ）で構成された検出部を有する放射線検出器４Ｃに替えたものである。この放射線検出器４Ｃは、図６に示すように、配線２７ＡによってＸ線信号処理装置２０Ａに接続される。放射線検出器４Ｂ及び４Ｃは、図３における放射線検出器４Ａ及び４Ｂの配置と同様に、孔部３３の周方向及び軸方向において交互に配置される。Ｘ線信号処理装置２０Ａは、図６に示すように、切替スイッチ４３及びＸ線強度算出装置４７を有する。切替スイッチ４３は、可動端子４４、及び固定端子４５及び４６を有する。可動端子４４は配線２７Ａによって放射線検出器４Ｃに接続される。Ｘ線強度算出装置４７は固定端子４５に接続される。Ｘ線信号処理装置２０Ａは放射線検出器４Ｃ毎に設けられる。本実施例の放射線検査装置の他の構成は、実施例１の放射線検査装置１と同じである。
【００５２】
本実施例における、被検診者３４を透過したＸ線の検出原理について説明する。本実施例は、発明者らによる以下の検討に基づいてなされた。Ｘ線ＣＴ像のデータは、Ｘ線源から放射されたＸ線を特定の方向に所定時間の間、被検体に照射し、体内を透過したＸ線を放射線検出器により検出する作業（スキャン）を繰り返し、複数の放射線検出器で検出されたＸ線の強度に基づいて作成される。精度の良いＸ線ＣＴ像のデータを得るためには、Ｘ線ＣＴ検査において、Ｘ線を検出している放射線検出器に、ＰＥＴ用薬剤に起因して被検体の内部から放出されるγ線が入射しないことが望ましい。このためには、「１つの放射線検出器においては、γ線の入射率に対応して被検体へのＸ線の照射時間を短くすればγ線の影響は無視可能である」との発明者らの新しい知見に基づいて、被検体へのＸ線の照射時間の短縮を図った。そのＸ線の照射時間Ｔを決めるために、まず、１つの放射線検出器へのγ線の入射率を考える。ＰＥＴ検査において被検体に投与するＰＥＴ用薬剤に基づいた体内の放射能をＮ(Ｂｑ)，発生するγ線の体内通過率をＡ、１つの放射線検出器の立体角から求めた入射率をＢ、検出素子の感度をＣとすると、１つの放射線検出器で検出するγ線の率α（個／sec ）は（１）式で与えられる。（１）式において係数の「２」は、１個の陽電子消滅の際に一対
α＝２ＮＡＢＣ                                        ……（１）
(２個)のγ線が放出されることを意味している。照射時間Ｔ内に１つの検出素子でγ線が検出される確率Ｗは（２）式で与えられる。（２）式のＷの値を小さくするように照射時間Ｔを決めることによって、Ｘ線ＣＴ検査時に、１つの放射線
Ｗ＝１−exp(−Ｔα)                                   ……（２）
検出器に入射されるγ線の影響は無視できる程度になる。
【００５３】
Ｘ線の照射時間Ｔの一例を以下に述べる。（１）および（２）式に基づいて具体的なＸ線の照射時間Ｔを求めた。ＰＥＴ検査において被検体に投与する放射性薬剤に起因する体内での放射線の強度は、最大で３７０ＭＢｑ程度であり（Ｎ＝３７０ＭＢｑ）、γ線の体内通過率Ａは被検体の体を半径１５cmの水と仮定すれば０.６程度（Ａ＝０.６）である。例えば一辺５mmの放射線検出器を半径５０cmでリング状に配置する場合を考えると、１つの放射線検出器の立体角から求めた入射率Ｂは８×１０-6（Ｂ＝８×１０-6）である。また、放射線検出器の検出感度Ｃは半導体放射線検出器を使用した場合最大で０.６程度（Ｃ＝０.６）である。これらの値から１つの放射線検出器のγ線の検出率αは２０００(個／sec) 程度である。Ｘ線の照射時間Ｔを例えば１.５μsecとすれば、１つの放射線検出器がＸ線検出中にγ線を検出する確率Ｗは０.００３ となり、このγ線はほとんど無視できる。体内投与放射能を３６０ＭＢｑ以下とした場合、Ｘ線の照射時間を１.５μsec以下にすれば、Ｗ＜０.００３つまりγ線の検出確率は０.３％以下となり無視できる。
【００５４】
本実施例においても、実施例１と同様にＸ線ＣＴ検査及びＰＥＴ検査が行われる。本実施例におけるＸ線ＣＴ検査及びＰＥＴ検査も、ＰＥＴ用薬剤が投与された被検診者３４が横たわっているベッド１６を移動させて被検診者３４を孔部３３内に挿入された状態で撮像装置２Ａを用いて行われる。放射線検出器４Ｂ，４Ｃは、被検診者３４を透過したＸ線、及びＰＥＴ用薬剤に起因して被検診者３４から放出されたγ線の両方を検出する。放射線検出器４ＢからのＸ線撮像信号及びγ線撮像信号の信号弁別装置２１での処理は、実施例１と同じである。
【００５５】
本実施例は、上記の原理を適用しており、実施例１と異なる、Ｘ線ＣＴ検査時におけるＸ線撮像信号の処理を中心に説明する。切替スイッチ４３の可動端子４４を固定端子４５及び４６のいずれかと接続させる切替操作は、切替スイッチ２２と同様に、駆動装置制御装置１７の出力である切替制御信号に基づいて行われる。駆動装置制御装置１７は、第１放射線検出器に含まれる放射線検出器４Ｃを選択し、選択された放射線検出器４Ｃに接続されるＸ線信号処理装置２０Ａにおける切替スイッチ４３の可動端子４４を固定端子４５に接続する。可動端子４４と固定端子４５とを接続する第１設定時間は、放射線検出器４Ｃでのγ線の検出確率を無視できるように例えば１μsec に設定される。このため、放射線検出器４ＣからのＸ線撮像信号は可動端子４４及び固定端子４５を経てＸ線強度算出装置４７に入力される。Ｘ線強度算出装置４７は、そのＸ線撮像信号を微分回路によって、Ｘ線撮像信号の電流値、すなわちＸ線撮像信号の強度の情報を出力する。Ｘ線撮像信号を出力した放射線検出器４Ｃが第２放射線検出器になったとき、駆動装置制御装置１７による制御によって可動端子４４が固定端子４６に接続される。このため、放射線検出器４Ｃが被検診者３４から放出されたγ線を検出してγ線撮像信号を出力しても、そのγ線撮像信号はＸ線強度算出装置４７に入力されない。各Ｘ線強度算出装置４７から出力されたＸ線撮像信号の強度の情報が、コンピュータ３０に入力される。コンピュータ３０は、前述した図５の処理手順に基づいて、Ｘ線ＣＴ像のデータとＰＥＴ像のデータとを合成した合成断層像のデータを作成することができる。
【００５６】
Ｘ線信号処理装置２０Ａは、Ｘ線撮像信号を選択的に処理するＸ線撮像信号処理装置である。Ｘ線撮像信号処理装置は、駆動装置制御装置１７によって制御されてＸ線撮像信号を選択するＸ線撮像信号選択装置である切替スイッチ４３、及びＸ線撮像信号選択装置で選択されたＸ線撮像信号を処理してＸ線撮像信号の強度情報を出力するＸ線撮像信号強度情報発生装置であるＸ線強度算出装置４７を備える。
【００５７】
本実施例においても、実施例１で生じる効果（１），（３）〜（９）を得ることができる。
【００５８】
（実施例３）
本発明の他の実施例である実施例３の放射線検査装置を、図７に基づいて以下に説明する。本実施例の放射線検査装置１Ａは、放射線検査装置１における撮像装置２を撮像装置２Ａに変えた構成を有する。放射線検査装置１Ａにおける他の構成は放射線検査装置１と同じである。撮像装置２Ａは、複数の環状放射線検出器群３Ａ及び３Ｂを備えている。環状放射線検出器群３Ａ，３Ｂは、孔部３３の軸方向に配置された複数の環状放射線検出器配列を有する。各環状放射線検出器配列は環状に複数の放射線検出器を配置している。環状放射線検出器群３Ａ及び３Ｂにおけるそれぞれの放射線検出器の内側に、ベッド１６が挿入される貫通した孔部３３がそれぞれ形成される。環状放射線検出器群３Ａと環状放射線検出器群３Ｂとは、それらの間にスリット４８を挟んで隣接する。環状放射線検出器群３Ａは、環状保持部５Ａの内側に、実施例１と同様に、上記複数の環状放射線検出器配列を構成する多数の放射線検出器を設置している。環状放射線検出器群３Ａにおいて、スリット４８側の一列の環状放射線検出器配列４９は、図８に示すように、その配列を構成する放射線検出器として孔部３３の周方向に配置された複数の放射線検出器４Ａのみを有する。環状放射線検出器群３Ａにおける他の環状放射線検出器配列５０を構成する全ての放射線検出器は放射線検出器４Ｂである。環状放射線検出器群３Ｂも、環状保持部５Ｂの内側に、実施例１と同様に複数の環状放射線検出器配列を構成する多数の放射線検出器を設置する。環状放射線検出器群３Ｂにおける全ての環状放射線検出器配列に含まれるの全ての放射線検出器は放射線検出器４Ｂである。環状保持部５Ａは、撮像装置２Ａのケーシング（図示せず）に設置される支持部材６Ａに取付けられる。環状保持部５Ｂも上記ケーシングに設置される支持部材６Ｂに取付けられる。環状放射線検出器群３Ａの軸心と環状放射線検出器群３Ｂの軸心とは一致しており、環状保持部５Ａ及び５Ｂの内径及び外径は同じである。環状放射線検出器群３Ａ，３Ｂの孔部３３の軸方向の長さの合計は、実施例１における撮像装置２の孔部３３の軸方向における放射線検出器配列の長さと同じであり、従来のＰＥＴ用の撮像装置におけるその長さとも同じである。
【００５９】
環状放射線検出器群３Ａの各放射線検出器４Ａは、それぞれ、別々のＸ線信号処理装置２０に配線２７Ａによって接続される。環状放射線検出器群３Ａ及び３Ｂの各放射線検出器４Ｂは、それぞれ、別々の信号弁別装置２１の可動端子２３に配線２７Ｂによって接続される。
【００６０】
更に、撮像装置２Ａは、Ｘ線源装置８Ａ及び環状のＸ線源装置保持部１３を有するＸ線源周方向移動装置７Ａを備えている。Ｘ線源装置保持部１３は、実施例１のそれと同じ構成であって環状保持部５Ａの外面に取付けられる。Ｘ線源装置８Ａは、Ｘ線源９及びＸ線源駆動装置１０を有し、軸方向移動アーム１１を有していない。本実施例では、Ｘ線源９は、環状保持部５Ａ及び５Ｂよりの外側に位置し、環状間隙４８と対向している。Ｘ線源９は、Ｘ線の放出口が環状放射線検出器配列４９内の放射線検出器４ＡでＸ線源９とは１８０°反対側に位置するその放射線検出器４Ａの方向を向くように、孔部３３の軸方向に対して傾けてＸ線源駆動装置１０のケーシングに取付けられる。
【００６１】
本実施例も、実施例１と同様に、１台の撮像装置を用いてＰＥＴ検査とＸ線ＣＴ検査を行う。本実施例におけるＰＥＴ検査は、実施例１と同様に、放射性薬剤に起因して被検診者３４から放出されたγ線を第２放射線検出器に含まれる放射線検出器４Ｂで検出することによって行われる。また、Ｘ線ＣＴ検査は、実施例１においてＸ線源装置８を周回させた場合と同様に、Ｘ線源装置８Ａをガイドレール１２に沿って被検診者３４の周囲を周回させることによって行われる。
ＰＥＴ検査及びＸ線ＣＴ検査の際には、ベッド１６の移動によって、被検診者３４を孔部３３の軸方向に移動させて行う。本実施例は、Ｘ線源装置８Ａの周回を円滑に行うため、環状保持部５Ａよりも外側で支持部材６ＢとＸ線源装置保持部１３との間に空間５１が形成される。Ｘ線源装置８Ａは周回する際にこの空間５１を通過する。本実施例では、傾いたＸ線源９から放出されて環状間隙４８を通過したＸ線は、ベッド１６上に横たわっている被検診者３４に対して斜め方向に照射され、被検診者３４の体内を斜めに透過する。この透過したＸ線は第１放射線検出器に含まれる放射線検出器４Ａ，４Ｂで検出される。本実施例では、第１放射線検出器は、Ｘ線源９と対向する、環状放射線検出器群３Ａのスリット４８側に位置する。Ｘ線源９から放出されるＸ線は広がりをもつため、環状放射線検出器群３Ａ内で環状放射線検出器配列４９に隣接する、放射線検出器４Ｂを含む環状放射線検出器配列、及び環状放射線検出器群３Ｂ内のスリット４８側の、放射線検出器４Ｂを含む環状放射線検出器配列にも、第１放射線検出器４が存在する。第１放射線検出器は、Ｘ線源９の周回に伴って、実施例１と同様に孔部３３の周方向に移動する。
【００６２】
第１放射線検出器に含まれた放射線検出器４Ａ，４Ｂから出力されたＸ線撮像信号は、実施例１と同様に処理される。Ｘ線信号処理装置２０から出力されたＸ線撮像信号の強度情報がコンピュータ３０に入力される。第２放射線検出器に含まれる放射線検出器４Ｂから出力されたγ線撮像信号は、実施例１と同様に信号弁別装置２１によって処理される。コンピュータ３０は、実施例１と同様に、図５に示す処理を行って合成断層像のデータを作成する。本実施例は、被検診者３５の体内を斜めに透過したＸ線に対するＸ線撮像信号を用いてＸ線ＣＴ像を得るため、そのＸ線ＣＴ像の精度が低下しないような角度でＸ線源９を傾ける必要がある。
【００６３】
環状放射線検出器群３Ａ及び環状放射線検出器群３Ｂを同時に使用してＰＥＴ検査を実施することにより、両検出器群に挟まれるスリット４８、及び環状放射線検出器配列４９の領域についても実質的にＰＥＴ検査することが可能である。具体的には、環状放射線検出器群３Ａにおける放射線検出器４Ｂと環状放射線検出器群３Ｂにおける放射線検出器４Ｂ間でγ線の同時係数を行いデータ化することにより、スリット４８及び環状放射線検出器配列４９で形成される領域（γ線を検出する放射線検出器４Ｂが設置されていない領域）を斜めに横切るデータを得る。このデータを用いた補間処理を行うことにより、スリット４８及び環状放射線検出器配列４９で形成される領域に対する２次元断面ＰＥＴ画像を得ることができる。
【００６４】
本実施例におけるＰＥＴ検査は、環状放射線検出器群３Ａと環状放射線検出器群３Ｂを個々に用いて独立に実施することも可能である。
【００６５】
本実施例は、実施例１で生じる（１）〜（７）の効果を得ることができる。更に、本実施例は、以下の（１０）〜（１３）の効果を得ることができる。
【００６６】
（１０）本実施例では、環状放射線検出器群３Ａの外側でＸ線源９が周回するため、環状保持部５Ａ，５Ｂの直径が小さくなる。このため、１８０°正反対に位置する２つの放射線検出器間の距離が短くなり、ＰＥＴ像の画質を向上できる。被検診者３４の体内で発生した一対のγ線は完全に１８０°ではなく１８０°±０.６° の方向に放出される。それらの放射線検出器間の距離が長くなると、±０.６° の影響が大きくなり、同時計数装置２８によって特定される、その一対のγ線に対する２つの検出点も若干ずれが生じる。それらの放射線検出器間の距離が短いと、±０.６° の影響も小さくなり、同時計数装置２８によって特定される、その一対のγ線に対する２つの検出点も真の位置に近くなる。このため、本実施例ではＰＥＴ像の画質が向上する。
【００６７】
（１１）本実施例は、環状放射線検出器群３Ａの外側でＸ線源９が周回するため、実施例１におけるＸ線源９及び軸方向移動アーム１１のように被検診者３４から放出されるγ線を遮る物体が放射線検出器の前面に存在しない。このため、本実施例では、実施例１のような検出データが欠損するという問題が生じない。
【００６８】
（１２）本実施例は、環状放射線検出器群の外形が小さくなる関係上、実施例１に比べて放射線検査装置を更に小型化できる。
【００６９】
（１３）本実施例では、環状放射線検出器配列４９は放射線検出器として放射線検出器４Ａのみを有してＸ線を検出しており、その配列４９における放射線検出器４Ａの配列ピッチを他の環状放射線検出器配列における放射線検出器４Ｂの配列ピッチよりも小さくすることができる。このため、Ｘ線ＣＴ検査の分解能を向上させることができる。
【００７０】
本実施例において、放射線検出器４Ａのみを放射線検出器として含む環状放射線検出器配列を環状放射線検出器群３Ｂ内のスリット４８側に位置させ、Ｘ線源９におけるＸ線の放出口が環状放射線検出器群３Ｂ内の放射線検出器４ＡでＸ線源９とは１８０°反対側に位置するその放射線検出器４Ａの方向を向くように、孔部３３の軸方向に対して傾けてＸ線源駆動装置１０のケーシングに取付けてもよい。また、Ｘ線源装置保持部１３を環状保持部５Ｂに取付け、上記のようにＸ線源９のＸ線放出口が環状放射線検出器群３Ａの放射線検出器４Ａを向くように傾けてもよい。更に、本実施例の環状放射線検出器群３Ａ，３Ｂの全放射線検出器を放射線検出器４Ｂとして、環状放射線検出器配列４９内の放射線検出器４Ｂに実施例２と同様に図６に示すＸ線信号処理装置２０Ａを接続してもよい。
【００７１】
本実施例から環状放射線検出器群３Ｂ及びスリット４８を取り除いて、環状放射線検出器配列４９を、被検診者保持装置１４に最も近い位置に配置してもよい。この場合には、Ｘ線ＣＴの全身検査は、ＰＥＴ検査の全身検査のために被検診者の移動時に行えばよい。そのような構成によって、Ｘ線ＣＴ検査からＰＥＴ検査へ移るときの被検診者の移動距離及び移動時間を最小化することが可能である。
【００７２】
（実施例４）
本発明の他の実施例である実施例４の放射線検査装置１Ｂを図９及び図１０を用いて以下に説明する。放射線検査装置１Ｂは、撮像装置２Ｂを備え、撮像装置２Ｂ以外の構成は放射線検査装置１と同じである。放射線検査装置１Ｂの構成のうち、放射線検査装置１と異なっている部分について述べる。撮像装置２Ｂは、環状放射線検出器群３Ｃ及びＸ線源周方向移動装置７Ｂを備えている。環状放射線検出器群３Ｃは、保持部材６に設置される環状保持部５Ｃの内面に、実施例１と同様に複数の環状放射線検出器配列を構成する多数の放射線検出器を設置している。環状保持部５Ｃは、周方向において１８０°にわたって切り込まれて形成された貫通孔であるスリット４８Ａを有する。スリット４８Ａは放射線検出器一個分の幅を有し環状保持部５Ｃの上半分に位置する。環状放射線検出器群３Ｃは、スリット４８Ａの部分に位置する一列の放射線検出器配列５２が放射線検出器として放射線検出器４Ａのみを有し、他の複数の環状放射線検出器配列５３が放射線検出器として放射線検出器４Ｂのみを有している。放射線検出器配列５２は、スリット４８Ａの部分に放射線検出器を配置していなく、スリット４８Ａの部分を除いた約１８０°の領域に放射線検出器４Ａを配置する。環状放射線検出器配列５３は、孔部３３の周囲で３６０°の領域にわたって放射線検出器４Ｂを配置する。環状保持部５Ｃの内側でスリット４８Ａの部分に、鉛で構成されたコリメータ５５が設置される。放射線検出器４Ａ，４Ｂはコリメータ５５の外側に位置する。放射線検出器４Ａは配線２７ＡによってＸ線信号処理装置２０（図１）に接続され、放射線検出器４Ｂは配線２７Ｂによって信号弁別装置２１（図１）に接続される。
【００７３】
線源周方向移動装置７Ｂは、ほぼ半円形のＸ線源装置保持部１３Ａ及びＸ線源装置８Ｂを備える。半円形のガイドレール１２Ａが取り付けられるＸ線源装置保持部１３Ａが環状保持部材５Ｃの外側に設置される。Ｘ線源装置８ＢはＸ線源９及びＸ線源駆動装置１０を有するＸ線源装置８Ｃを備える。Ｘ線源装置８Ｂは、Ｘ線源９のＸ線放出口が孔部３３の軸心に対して垂直で放射線検出器配列５２の放射線検出器４Ａの方向を向くようにＸ線源９をＸ線源駆動装置１０に取り付けられている。
【００７４】
本実施例も、ＰＥＴ用薬剤を投与してベッド１６上に横たわっている被検診者３４に対して一台の撮像装置２Ｂを用いてＰＥＴ検査及びＸ線ＣＴ検査を行う。ＰＥＴ検査及びＸ線ＣＴ検査の際には、実施例３と同様に、被検診者３４を軸方向に移動させて行う。Ｘ線ＣＴ検査は、Ｘ線源９から放出されてスリット４８Ａ及びコリメータ５５を通過したＸ線を被検診者３４に照射することによって行われる。本実施例は、実施例１と同様に、ＰＥＴ検査が被検診者３４から放出されたγ線を第２放射線検出器に含まれた放射線検出器４Ｂで検出することによって行われ、Ｘ線ＣＴ検査が被検診者３４を透過したＸ線を第１放射線検出器に含まれる放射線検出器４Ａで検出することによって行われる。放射線検出器４Ａから出力されたＸ線撮像信号、及び放射線検出器４Ｂから出力されたＸ線撮像信号及びγ線撮像信号の処理は実施例１と同様に行われ、コンピュータ３０によって合成断層像データが作成される。
【００７５】
本実施例におけるＸ線ＣＴ検査では、Ｘ線源９はＸ線源駆動装置１０をガイドレール１２Ａに沿って移動させることによって１８０°の範囲内で被検診者３４の周囲を移動し、第１放射線検出器に含まれる放射線検出器でＸ線撮像信号を得ている。Ｘ線信号処理装置２０は、放射線検出器４ＡからのＸ線撮像信号を入力して、Ｘ線撮像信号の強度情報を得る。コンピュータ３０は、その強度情報を用いてＸ線ＣＴ像の二次元断面データを得る。それの他の二次元断面データは、被検診者３４の、孔部３３の軸方向への移動、及びＸ線源９のガイドレール１２Ａに沿った移動によって得られるＸ線撮像信号を用いて作成できる。これらの二次元断面データを積み重ねてＸ線ＣＴ像の三次元断面データを得ることができる。
【００７６】
本実施例によれば、実施例１で生じる（１）〜（７）の効果及び実施例３で生じる（１１）〜（１３）の効果を得ることができる。更に、本実施例は、以下の（１４）の効果を得ることができる。
【００７７】
（１４）コリメータ５５の放射線遮蔽機能によって、コリメータ５５に隣接した放射線検出器４Ａ，４ＢへのＸ線の入射が阻止される。
【００７８】
放射線検出器配列５２を、環状放射線検出器群３Ｃの軸方向における放射線検出器配列のうち被検診者保持装置１４に最も近い放射線検出器配列に位置させてもよい。この場合には、Ｘ線源９もその位置にくるようにＸ線減収方向移動装置７Ｂの設置位置を変える必要がある。更に、本実施例の環状放射線検出器群３Ｃの全放射線検出器を放射線検出器４Ｂとして、放射線検出器配列５２内の放射線検出器４Ｂに実施例２と同様に図６に示すＸ線信号処理装置２０Ａを接続してもよい。
【００７９】
（実施例５）
本発明の他の実施例である実施例５の放射線検査装置を以下説明する。本実施例は、実施例１において放射線検出器４Ａ，４Ｂの配置を換えた構成を有する。すなわち、図１１に示すように、被検診者保持装置１４側の一列の環状放射線検出器配列が放射線検出器として放射線検出器４Ａのみを有し、他の複数の環状放射線検出器配列５３が放射線検出器として放射線検出器４Ｂのみを有している。本実施例の他の構成は実施例１と同じである。本実施例におけるＸ線ＣＴ検査及びＰＥＴ検査、放射線検出器４Ａ，４Ｂからの出力信号の処理、及びコンピュータ３０における合成断層像データの作成処理は、実施例１と同様に行われる。本実施例は実施例１で得られる（１）〜（９）の効果を得ることができる。
【００８０】
（実施例６）
本発明の他の実施例である実施例６の放射線検査装置１Ｃを図１２を用いて以下に説明する。放射線検査装置１Ｃは、放射線検査装置１の撮像装置２を撮像装置２Ｃに変えたもので、他の構成は放射線検査装置１と同じである。撮像装置２Ｃは、撮像装置２における放射線検出器の配列を変えたものである。撮像装置２Ｃのそれ以外の構成は撮像装置２と同じである。撮像装置２Ｃの放射線検出器の配列について述べる。本実施例では、多数の放射線検出器４Ａが多数の放射線検出器４Ｂよりも内側に配置され、放射線検出器４Ａと放射線検出器４Ｂとは孔部３３の半径方向において直線状に積層配置されている。具体的には、１個の放射線検出器４Ａと１個の放射線検出器４Ｂとが対になって積層配置され、放射線検出器４Ｂが放射線検出器４Ａの外側に位置する。これらの放射線検出器４Ａ及び４Ｂは、孔部３３の周方向に環状に配置されかつ軸方向にも複数列配置される。本実施例は、それぞれの環状放射線検出器配列は放射線検出器４Ａ及び４Ｂを含んでいる。放射線検出器４Ａ及び４Ｂは環状保持部５に設置される。放射線検出器４Ａは配線２７ＡによってＸ線信号処理装置２０に接続される。放射線検出器４Ｂは配線２７Ｂによって信号弁別装置２１に接続される。
【００８１】
本実施例も、ＰＥＴ用薬剤を投与してベッド１６上に横たわっている被検診者３４に対して一台の撮像装置２Ｃを用いてＰＥＴ検査及びＸ線ＣＴ検査を行う。Ｘ線ＣＴ検査はＸ線源９から放出されたＸ線を被検診者３４に照射することによって行われ、被検診者３４を透過したＸ線を第１放射線検出器に含まれる放射線検出器４Ａで検出する。ＰＥＴ検査は、被検診者３４から放出されたγ線を第２放射線検出器に含まれた放射線検出器４Ｂで検出することによって行われる。エネルギーが低い（８０ｋｅＶ）Ｘ線は1層目の放射線検出器４Ａで検出され、高エネルギー（５１１ｋｅＶ）のγ線は１層目の放射線検出器４Ａをほとんど無反応で通過し２層目の放射線検出器４Ｂで検出することができる。放射線検出器４Ａから出力されたＸ線撮像信号の処理は、実施例１と同様にＸ線信号処理装置２０によって行われる。放射線検出器４Ｂから出力されたγ線撮像信号の処理は、実施例１と同様に信号弁別処理装置２１によって行われる。コンピュータ３０による合成断層像データの作成は、実施例１と同様に行われる。
【００８２】
本実施例は、実施例１で得られる効果（１）〜（９）を得ることができる。
【００８３】
本実施例において、１層目の放射線検出器４Ａと２層目の放射線検出器４Ｂとの積層配置は、孔部３３の軸方向における一部の環状放射線検出器配列（例えば、被検診者保持装置１４に最も近い一列の環状放射線検出器配列）だけとし、他の環状放射線検出器配列は放射線検出器４Ａを含まず放射線検出器４Ｂを含む環状放射線検出器配列にすることも可能である。
【００８４】
（実施例７）
本発明の他の実施例である実施例７の放射線検査装置１Ｄを図１３を用いて以下に説明する。放射線検査装置１Ｄは、実施例３の放射線検査装置１Ａの撮像装置２Ａを撮像装置２Ｄに変えたもので、他の構成は放射線検査装置１Ａと同じである。撮像装置２Ｄは、撮像装置２Ａにおける放射線検出器４Ａの取り付け位置を変えたものである。撮像装置２Ｄのそれ以外の構成は撮像装置２Ａと同じである。撮像装置２Ｄにおける放射線検出器４Ａの取り付け構造について説明する。
【００８５】
撮像装置２Ｄは、Ｘ線源周方向移動装置７Ｄを備えており、環状保持部５Ａに放射線検出器４Ａを設置していない。すなわち、環状放射線検出器群３Ａ，３Ｂとも、放射線検出器４Ａを含んでいない。本実施例では、Ｘ線源周方向移動装置７Ｄが放射線検出器４Ａを含んでいる。Ｘ線源周方向移動装置７Ｄは環状保持部５Ａを取り囲む環状連結部５６を備えており、Ｘ線源装置８ＡのＸ線源駆動装置１０が環状連結部５６に設置される。孔部３３の周方向に配置された複数の放射線検出器４Ａは、スリット４８内に一部が挿入される保持部材５７に取り付けられる。各放射線検出器４Ａはスリット４８内に位置している。これらの放射線検出器４ＡはＸ線源９から放出されるファンビームの広がりをカバーできる範囲に設置される。本実施例は、実施例３のようにはＸ線源９を傾けて配置する必要がない。
【００８６】
ＰＥＴ検査は実施例３と同様に行われる。Ｘ線ＣＴ検査を行う場合には、Ｘ線源駆動装置１０の作用によって環状連結部５６がガイドレール１２に沿って環状保持部５Ａの周囲を周回する。この動きに合わせて、Ｘ線源９及び放射線検出器４Ａが被検診者３４の周囲を移動する。放射線検出器４Ａはスリット４８内を周方向に移動する。Ｘ線源９から放出されて被検診者３４を透過したＸ線は、各放射線検出器４Ａで計測される。本実施例でも、実施例１と銅宵に合成断層像のデータが作成できる。本実施例は、上記（１）〜（７），（１０）〜（１３）の効果を得ることができる。また、放射線検出器４Ａは、本実施例のように放射線検出器４Ｂと横並びさせるのではなく、例えば、環状保持部５Ａ及び５Ｂの外側、すなわち空間５１内に位置するように配置してもよい。
【００８７】
【発明の効果】
本発明によれば、Ｘ線及びγ線を用いた被検体の放射線検査を行える放射線検査装置を単純化できる。
【図面の簡単な説明】
【図１】本発明の好適な一実施例である実施例１の放射線検査装置の構成図である。
【図２】図１のII−II断面図である。
【図３】図１の環状放射線検出器群での放射線検出器の配列を示す斜視図である。
【図４】図１に示す信号弁別装置の詳細構成図である。
【図５】図１のコンピュータで実行される合成断層像データを得る処理の説明図である。
【図６】本発明の他の実施例である実施例２の放射線検査装置に用いられるＸ線信号処理装置の構成図である。
【図７】本発明の他の実施例である実施例３の放射線検査装置の構成図である。
【図８】図７の環状放射線検出器群での放射線検出器の配列を示す斜視図である。
【図９】本発明の他の実施例である実施例４の放射線検査装置の構成図である。
【図１０】図９のIX−IX断面図である。
【図１１】本発明の他の実施例である実施例５の放射線検査装置における、環状放射線検出器群での放射線検出器の配列を示す斜視図である。
【図１２】本発明の他の実施例である実施例６の放射線検査装置の構成図である。
【図１３】本発明の他の実施例である実施例７の放射線検査装置の構成図である。
【符号の説明】
１，１Ａ，１Ｂ，１Ｃ…放射線検査装置、２，２Ａ，２Ｂ，２Ｃ…撮像装置、３Ａ，３Ｂ，３Ｃ…環状放射線検出器群、４Ａ，４Ｂ…放射線検出器、６，５Ａ，５Ｂ，５Ｃ…環状保持部、７，７Ａ，７Ｂ，７Ｃ…Ｘ線源周方向移動装置、８，８Ａ，８Ｂ，８Ｃ…Ｘ線源装置、９…Ｘ線源、１０…Ｘ線源駆動装置、１１…被検診者保持装置、１２，１２Ａ…ガイドレール、１３，１３Ａ…Ｘ線源装置保持部、１４…被検診者保持装置、１６…ベッド、１７…駆動装置制御装置、１８…Ｘ線源制御装置、１９…信号処理装置、２０，２０Ａ…Ｘ線信号処理装置、
２１…信号弁別装置、２２，４３…切替スイッチ、２６，４７…γ線弁別装置、２８…同時計数装置、２９…断層像作成装置、３０…コンピュータ、３１…記憶装置、３２…表示装置、３３…孔部、３４…被検診者、４８，４８Ａ…スリット、５５…コリメータ。
【図１】
0003888156.tif 000002
【図２】
0003888156.tif 000003
【図３】
0003888156.tif 000004
【図４】
0003888156.tif 000005
【図５】
0003888156.tif 000006
【図６】
0003888156.tif 000007
【図７】
0003888156.tif 000008
【図８】
0003888156.tif 000009
【図９】
0003888156.tif 000010
【図１０】
0003888156.tif 000011
【図１１】
0003888156.tif 000012
【図１２】
0003888156.tif 000013
【図１３】
0003888156.tif 000014